(57)【要約】【課題】デジタルカメラ側に負荷をかけないように、プリント制御の主導権をプリンタ側に持たせるようにしたデジタルカメラを提供する。【解決手段】デジタルカメラ１０は外部プリンタ１１０とダイレクト接続可能であって、デジタルカメラ１０のプリンタインターフェース８２及びレセプタクル７２が外部プリンタ１１０に画像データを転送し、又外部プリンタ１１０から画像データを印刷するプリンタの情報及び印刷する画像データの仕様の情報を受ける。プリント出力編集部８０は、外部プリンタ１１０からの指示によって、受け付けた情報を基に印刷用の画像データを編集する。すなわち、編集は外部プリンタ１１０からの指示によって行われる。【選択図】  図３
2005039406.tif 000002
【特許請求の範囲】
【請求項１】
外部プリンタとダイレクト接続可能なデジタルカメラであって、
前記外部プリンタに画像データを転送する転送手段と、
前記外部プリンタから、前記画像データを印刷する印刷手段の情報及び印刷する画像データの仕様の情報の少なくとも一方を受ける情報受付手段と、
前記外部プリンタからの指示によって、前記情報受付手段で受け付けた情報を基に印刷する画像データを編集する編集手段と、
からなるデジタルカメラ。
【請求項２】
前記印刷手段の情報は、プリンタの種類の情報を含む請求項１のデジタルカメラ。
【請求項３】
前記印刷する画像データの仕様の情報は、プリントサイズの情報を含む請求項１のデジタルカメラ。
【請求項４】
前記印刷する画像データの仕様の情報は、画素数の情報を含む請求項１のデジタルカメラ。
【請求項５】
前記印刷する画像データの仕様の情報は、露出値の情報を含む請求項１のデジタルカメラ。
【請求項６】
前記印刷する画像データの仕様の情報は、カラーバランスの情報を含む請求項１のデジタルカメラ。
【請求項７】
前記デジタルカメラは表示部を有し、前記表示部は前記外部プリンタに転送した画像データの仕様とは異なる仕様の画像で前記編集手段の編集の結果作成された画像を複数表示可能であり、表示した画像のなかで印刷する画像を選択する選択情報を受ける選択情報受付手段を有する請求項１のデジタルカメラ。
【請求項８】
前記デジタルカメラは表示部を有し、前記表示部は前記外部プリンタからの指示内容を表示し、前記外部プリンタの操作手段を操作することにより編集済みの印刷用画像データを前記外部プリンタに転送する請求項１のデジタルカメラ。
【請求項９】
外部プリンタとデジタルカメラとをダイレクト接続した場合のデータ送受信方法であって、
前記デジタルカメラから前記外部プリンタに画像データを転送し、
前記外部プリンタから前記デジタルカメラに前記画像データを印刷する印刷手段の情報及び印刷する画像データの仕様の情報の少なくとも一方を送信し、
前記外部プリンタからの指示によって、前記外部プリンタから送信された情報を基に印刷する画像データを編集する、データ送受信方法。
【請求項１０】
前記デジタルカメラは表示部を有し、前記表示部は前記外部プリンタに転送した画像データの仕様とは異なる仕様の画像で前記編集の結果作成された画像を複数表示可能であり、表示した画像のなかで印刷する画像を前記外部プリンタからの指示によって選択することができる請求項９のデータ送受信方法。
【請求項１１】
前記デジタルカメラは表示部を有し、前記表示部は前記外部プリンタからの指示内容を表示し、前記外部プリンタから前記デジタルカメラに操作信号を送ることにより前記デジタルカメラから編集済みの印刷用画像データを前記外部プリンタに転送する請求項９のデータ送受信方法。
【発明の詳細な説明】
【０００１】
【発明の属する技術分野】
本発明は、デジタルカメラに係り、特に、外部プリンタとダイレクト接続可能なデジタルカメラに関する。
【０００２】
【従来の技術】
近年、デジタルカメラで撮影した画像をプリントする際に、パソコンを使用しないでデジタルカメラとプリンタとをＵＳＢ（Ｕｎｉｖｅｒｓａｌ  Ｓｅｒｉａｌ  Ｂｕｓ）などのインターフェースを利用してダイレクトに接続してプリントする方法が求められている。この場合、デジタルカメラから画像データのほかに詳細なプリント条件等を含むプリント制御データをプリンタに送信することによってプリンタでプリントできる状態にしていた。つまり、プリント制御の主導はデジタルカメラが担っていた。
【０００３】
最近策定された、本願出願人を含むメーカー６社共同によるデジタルカメラとプリンタとをダイレクトに接続する際の統一規格「ＤＰＳ」（仮称）においても、ＵＳＢをインターフェースとしてデジタルカメラとプリンタとを接続し、カメラ側で、印刷する画像を指定したり印刷品質や用紙サイズ、画像補正といった印刷条件を指定したりするようにしている。
【０００４】
しかし、デジタルカメラにプリント制御の主導権をもたせることは、デジタルカメラが今後ますます高機能化していくにつれてデジタルカメラ側にかなりの負荷をかけることになり、プリントまでの速度が遅くなったり操作系が複雑になったりする可能性も否定できない。
【０００５】
下記特許文献１は、画像処理装置と印刷デバイスとの間でダイレクト接続してプリントを行う際に、それぞれのデバイスが持つ画像処理機能ごとの処理能力、並びにデータサイズ及びデータ転送速度の関係に応じて適応的に画像処理をデバイス間で分担し、効率がよいダイレクト接続プリントを行う技術を開示している。この文献では、画像処理装置に画像処理の分担を決定する決定手段を持たせ、さらに画像処理の能力情報を相手装置から取得する取得手段を有するが、今後のデジタルカメラの高画素化及び高機能化に伴い、デジタルカメラにプリント制御の主導権を持たせる場合があることは負荷が大きくなる場合が存在することになる。
【０００６】
【特許文献１】
特開２００１−２７５０６６号公報
【０００７】
【発明が解決しようとする課題】
本発明は、上記の事実を考慮して、デジタルカメラ側に負荷をかけないように、プリント制御の主導権をプリンタ側に持たせるようにしたデジタルカメラを提供することを目的とする。
【０００８】
【課題を解決するための手段】
本発明は、外部プリンタとダイレクト接続可能なデジタルカメラであって、
前記外部プリンタに画像データを転送する転送手段と、
前記外部プリンタから、前記画像データを印刷する印刷手段の情報及び印刷する画像データの仕様の情報の少なくとも一方を受ける情報受付手段と、
前記外部プリンタからの指示によって、前記情報受付手段で受け付けた情報を基に印刷する画像データを編集する編集手段と、
からなるデジタルカメラ、からなる。
【０００９】
本発明によれば、デジタルカメラは外部プリンタとダイレクト接続可能であって、デジタルカメラの転送手段が前記外部プリンタに画像データを転送する。情報受付手段は、前記外部プリンタから、前記画像データを印刷する印刷手段の情報及び印刷する画像データの仕様の情報の少なくとも一方を受ける。印刷手段の情報とは、プリンタの種類、例えば、インクジェットプリンタであることやレーザプリンタであること、などの情報である。画像データの仕様の情報とは、プリントサイズの情報、画素数の情報、露出値の情報、カラーバランスの情報などである。編集手段は、前記外部プリンタからの指示によって、前記情報受付手段で受け付けた情報を基に印刷用の画像データを編集する。すなわち、編集は外部プリンタからの指示によって行われる。
【００１０】
このようにすることにより、小型化の要求が少なく、自由度の高いプリンタ側に画像処理、編集などの機能指示の主導権を持たせることができ、デジタルカメラ側の処理負荷を軽減することができる。
【００１１】
なお、前記デジタルカメラは、以下の構成、作用を有することもできる。
【００１２】
前記デジタルカメラは、表示部を有し、前記表示部は前記外部プリンタに転送した画像データの仕様とは異なる仕様の画像、例えば、異なる露出値の画像や異なるカラーバランスの画像、であって前記編集手段の編集の結果作成された画像を複数表示可能であり、表示した画像のなかで印刷する画像を選択する選択情報を前記外部プリンタから受ける選択情報受付手段を有する。
【００１３】
また、前記デジタルカメラは、表示部を有し、前記表示部は前記外部プリンタからの指示内容（例えば、プリントサイズ、露出値、ホワイトバランス値）を表示し、前記外部プリンタの操作手段を操作することにより編集済みの印刷用画像データを前記外部プリンタに転送して、前記外部プリンタで編集済み画像を印刷する。
【００１４】
【発明の実施の形態】
以下、図面を参照して、本発明の実施の形態を詳細に説明する。
【００１５】
図１は、デジタルカメラ１０とプリンタ１１０とをダイレクト接続した状態を示す図である。図１に示すように、デジタルカメラ１０とプリンタ１１０とはＵＳＢ１００をインターフェースとしてダイレクト接続されている。
【００１６】
デジタルカメラ１０の外観上の構成を説明する。
【００１７】
図２は、デジタルカメラ１０の外観を示す図で、デジタルカメラ１０の正面図、背面図、上面図、左側面図である。
【００１８】
図２に示すように、デジタルカメラ１０の正面には、被写体像を結像させるためのレンズ１２と、撮影する被写体の構図を決定するために用いられるファインダ７０と、が備えられている。また、デジタルカメラ１０の上面には、撮影を実行する際にユーザによって押圧操作されるレリーズボタン（所謂シャッター）６０と、電源スイッチ６６と、が備えられている。
【００１９】
なお、本実施の形態に係るレリーズボタン６０は、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２０】
また、本実施の形態に係るデジタルカメラ１０は、静止画像の撮影の他、動画像の撮影も行うことができるように構成されている。
【００２１】
静止画像の撮影を行う際には、レリーズボタン６０を半押し状態にすることによりＡＥ（Ａｕｔｏｍａｔｉｃ  Ｅｘｐｏｓｕｒｅ、自動露出）機能が働いて露出状態（シャッタースピード、絞りの状態）が設定された後、ＡＦ（Ａｕｔｏ  Ｆｏｃｕｓ、自動合焦）機能が働いて合焦制御され、その後、引き続き全押し状態にすると露光（撮影）が行われる。
【００２２】
動画像の撮影を行う際には、レリーズボタン６０を全押し状態とすることによって動画像の撮影が開始され、レリーズボタン６０の押下状態を一旦未押下状態まで戻した後、再度全押し状態とすることによって当該動画像の撮影が停止されるように構成されている。このように、本実施の形態に係るデジタルカメラ１０では、動画像の撮影を開始するときにレリーズボタン６０を全押し状態とし、当該撮影を停止するときに再度レリーズボタン６０を全押し状態とするものであるが、これに限らず、レリーズボタン６０を全押し状態としている期間中に動画像の撮影を行う形態とすることもできる。
【００２３】
デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するために操作されるモード切替スイッチ６２と、ＬＣＤ３０の表示領域における上下左右の４方向の移動方向を示す４つの矢印キー及び当該４つの矢印キーの中央部に位置された決定キーの合計５つのキーを含んで構成された十字カーソルボタン６４と、表示切替スイッチ６８と、が備えられている。
【００２４】
デジタルカメラ１０の左側面には、パソコンやプリンタなどの外部装置と所定のインタフェース規格（本実施の形態では、ＵＳＢ（Ｕｎｉｖｅｒｓａｌ  Ｓｅｒｉａｌ  Ｂｕｓ））により電気的に接続するために用いられるレセプタクル７２が設けられている。
【００２５】
図３を参照して、本実施の形態に係るデジタルカメラ１０及びプリンタ１１０の構成を説明する。図３は、デジタルカメラ１０及びプリンタ１１０の電気系の構成を示すブロック図である。
【００２６】
図３に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成されており、ＣＣＤ１４の出力端子はＣＤＳ１６の入力端子に、ＣＤＳ１６の出力端子はＡＤＣ１８の入力端子に、各々接続されている。
【００２７】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００２８】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに対して圧縮処理を施す一方、圧縮処理されたデジタル画像データに対して伸張処理を施す圧縮・伸張処理回路２４と、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号）を生成してビデオ出力端子ＯＵＴに出力するビデオ／ＬＣＤエンコーダ２８と、を含んで構成されている。なお、画像入力コントローラ２０の入力端子はＡＤＣ１８の出力端子に接続されている。
【００２９】
また、デジタルカメラ１０は、デジタルカメラ１０全体の動作を司るＣＰＵ（中央処理装置）３２と、ＡＦ機能を働かせるために必要とされる物理量（本実施の形態では、ＣＣＤ１４による撮像によって得られた画像のコントラスト値）を検出するＡＦ検出回路３４と、ＡＥ機能及びＡＷＢ（Ａｕｔｏｍａｔｉｃ  Ｗｈｉｔｅ  Ｂａｌａｎｃｅ）機能を働かせるために必要とされる物理量（本実施の形態では、ＣＣＤ１４による撮像によって得られた画像の明るさを示す量）を検出するＡＥ・ＡＷＢ検出回路３６と、ＣＰＵ３２による各種処理の実行時のワークエリア等として用いられるＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）により構成された第１メモリ３８と、主として撮影により得られたデジタル画像データを記憶するＶＲＡＭ（ＶｉｄｅｏＲＡＭ）により構成された第２メモリ４０と、を含んで構成されている。
【００３０】
更に、デジタルカメラ１０は、スマートメディア（Ｓｍａｒｔ  Ｍｅｄｉａ（Ｒ））により構成された記録メディア４２Ａ及びマイクロドライブにおける記録メディア４２Ｂをデジタルカメラ１０でアクセス可能とするためのメディアコントローラ４２と、前述のレセプタクル７２に接続されると共にＵＳＢ規格による外部との間の通信を司るプリンタインタフェース８２と、を含んで構成されている。
【００３１】
以上の画像入力コントローラ２０、画像信号処理回路２２、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、メディアコントローラ４２、及びプリンタインタフェース８２は、各々、バスＢＵＳを介して相互に接続されている。
【００３２】
従って、ＣＰＵ３２は、画像入力コントローラ２０、画像信号処理回路２２、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、記録メディア４２Ａ、及び記録メディア４２Ｂへのアクセスと、レセプタクル７２に接続された外部プリンタ１１０などの外部装置との相互通信と、を各々行うことができる。
【００３３】
なお、本実施の形態では、外部装置として外部プリンタ１１０が接続された場合について説明する。
【００３４】
ＣＰＵ３２にはプリント出力編集部８０が接続している。プリント出力編集部８０は、外部プリンタ１１０から送られてくるプリンタの情報やプリントしようとする画像データの仕様の情報を基に、プリントする画像データを編集する。
【００３５】
また、本実施の形態では、撮影によって得られたデジタル画像データは、画像ファイルとして記録メディア４２Ａに撮影順に記録される。
【００３６】
一方、デジタルカメラ１０には、主としてＣＣＤ１４を駆動させるためのタイミング信号を生成してＣＣＤ１４に供給するタイミングジェネレータ４８が設けられており、当該タイミングジェネレータ４８の入力端子はＣＰＵ３２に、出力端子はＣＣＤ１４に、各々接続されており、ＣＣＤ１４の駆動は、ＣＰＵ３２によりタイミングジェネレータ４８を介して制御される。
【００３７】
更に、ＣＰＵ３２はモータ駆動部５０の入力端子に接続され、モータ駆動部５０の出力端子は光学ユニット１３に備えられた焦点調整モータ、ズームモータ及び絞り駆動モータに接続されている。
【００３８】
本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００３９】
ＣＰＵ３２は、光学ズーム倍率を変更する際にはズームモータを駆動制御して光学ユニット１３に含まれるレンズの焦点距離を変化させる。
【００４０】
また、ＣＰＵ３２は、ＣＣＤ１４による撮像によって得られた画像のコントラスト値が最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Ｔｈｒｏｕｇｈ  Ｔｈｅ  Ｌｅｎｓ）方式を採用している。
【００４１】
更に、前述のレリーズボタン６０、モード切替スイッチ６２、十字カーソルボタン６４、電源スイッチ６６、及び表示切替スイッチ６８の各種ボタン類及びスイッチ類はＣＰＵ３２に接続されており、ＣＰＵ３２は、これらのボタン類及びスイッチ類に対する操作状態を常時把握できる。
【００４２】
ところで、本実施の形態に係るデジタルカメラ１０は、撮影によって記録メディア４２Ａに記録された画像ファイルの画像データを外部プリンタ１１０からの指示信号によって編集する編集モードが、ＬＣＤ３０に表示される不図示のメニュー画面上で設定できるように構成されている。
【００４３】
当該編集モードには、編集候補となる画像ファイルにより示される被写体像を１枚ずつＬＣＤ３０に表示させる１コマ再生モード、並びに当該画像ファイル及びそれと異なった画像データの仕様の被写体像を複数（本実施の形態では、２画像）ずつＬＣＤ３０に表示させてプリントすべき画像ファイルを選択することができるマルチ仕様モードが用意されている。表示切替スイッチ６８は、編集モードが設定されているときに、１コマ再生モード及びマルチ仕様モードの何れのモードを適用するかを設定するものである。
【００４４】
外部プリンタ１１０の構成を説明する。
【００４５】
図４は、外部プリンタ１１０の構成を示したブロック図である。外部プリンタ１１０は、ＵＳＢインターフェース１１２、ＣＰＵ１１４、ＲＯＭ１１６、ＲＡＭ１１８、操作キー１２０、印画・メカ駆動手段１２２を有し、これらは内部バス１２４で接続されている。
【００４６】
ＵＳＢインターフェース１１２は、本形態では、デジタルカメラ１０のレセプタクル７２とＵＳＢ１００を介して画像データ、外部プリンタの情報、画像データの仕様の情報などを送受信するためのデータ受付の機能を有する。
【００４７】
ＲＯＭ１１６には制御プログラムが格納されており、受信した信号をこの制御プログラムによって制御する。ＲＡＭ１１８は送信されてきた信号の画像情報等を一旦格納する。
【００４８】
操作キー１２０によって入力、設定された画像データの仕様の情報やプリント指示の情報は、ＲＡＭ１１８に一旦格納され、ＣＰＵ１１４の制御によりＵＳＢインターフェース１１２からデジタルカメラ１０に送信される。
【００４９】
ＵＳＢインターフェース１１２で受信された信号は、内部バス１２４を介してＲＯＭ１１６の制御プログラムによって処理され、ＲＡＭ１１８に記憶された後、ＣＰＵ１１４の指令によって読み出され、印画、メカ駆動手段１２２に送られた後、外部プリンタ１１０のヘッド、メカ駆動ブロックへ出力される。
【００５０】
本実施の形態に係るデジタルカメラ１０の作用を説明する。
【００５１】
まず、撮影時におけるデジタルカメラ１０の作用を簡単に説明する。
【００５２】
光学ユニット１３を介した撮像によってＣＣＤ１４から出力された被写体像を示す信号は順次ＣＤＳ１６に入力されて相関二重サンプリング処理が施された後にＡＤＣ１８に入力され、ＡＤＣ１８は、ＣＤＳ１６から入力されたＲ（赤）、Ｇ（緑）、Ｂ（青）の信号を各々１２ビットのＲ、Ｇ、Ｂ信号（デジタル画像データ）に変換して画像入力コントローラ２０に出力する。
【００５３】
画像入力コントローラ２０は内蔵しているラインバッファにＡＤＣ１８から順次入力されるデジタル画像データを蓄積して一旦第２メモリ４０の所定領域に格納する。
【００５４】
第２メモリ４０の所定領域に格納されたデジタル画像データは、ＣＰＵ３２による制御下で画像信号処理回路２２によって読み出され、これらにＡＥ・ＡＷＢ検出回路３６により検出された物理量に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という）を生成し、ＹＣ信号を第２メモリ４０の上記所定領域とは異なる領域に格納する。
【００５５】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、ビデオ／ＬＣＤエンコーダ２８を介して順次ＬＣＤ３０に出力する。これによってＬＣＤ３０にスルー画像が表示されることになる。
【００５６】
ここで、ユーザにより静止画像の撮影が設定されているときには、レリーズボタン６０がユーザによって全押し状態とされたときに、この時点で第２メモリ４０に格納されているＹＣ信号を、圧縮・伸張処理回路２４によって所定の圧縮形式（本実施の形態では、ＪＰＥＧ形式）で圧縮した後にメディアコントローラ４２を介して記録メディア４２Ａに記録する。
【００５７】
また、ユーザにより動画像の撮影が設定されているときには、レリーズボタン６０が全押し状態とされた時点から次にレリーズボタン６０が全押し状態とされる時点までの期間、すなわち動画像の撮影を行っている期間において、所定期間（本実施の形態では、１／３０秒（０．０３３・・・秒））毎に、第２メモリ４０に格納されているＹＣ信号を、圧縮・伸張処理回路２４によって所定の圧縮形式（本実施の形態では、Ｍｏｔｉｏｎ  ＪＰＥＧ形式）で圧縮した後にメディアコントローラ４２を介して記録メディア４２Ａに記録する。従って、本実施の形態に係るデジタルカメラ１０で動画像の撮影を行うときには、３０フレーム／秒の動画像を記録メディア４２Ａに記録することができる。
【００５８】
図５、図６を参照して、外部プリンタ１１０からプリンタの情報及び画像データの仕様の情報をデジタルカメラ１０に送信し、デジタルカメラ１０において画像データを編集して外部プリンタ１１０でプリントを行う処理について説明する。
【００５９】
図５は、プリントするまでのデジタルカメラ１０と外部プリンタ１１０とのやりとりを示すフローチャート、図６は、デジタルカメラ１０のＬＣＤ３０にプリント対象画像と露出補正した画像とを同時に表示した例を示す図である。
【００６０】
まず、デジタルカメラ１０と外部プリンタ１１０とをプリントモードにする。
【００６１】
次に、外部プリンタ１１０においてプリント指示をデジタルカメラ１０にだすかどうか決定する（ステップ２００）。操作キー１２０によってプリント指示をデジタルカメラ１０にだした場合には、プリンタの種類（インクジェットプリンタ、レーザプリンタなど）並びにプリンタのメーカー及び機種の情報がデジタルカメラに送信され、デジタルカメラ１０においてはプリント対象画像を表示する（ステップ２０２）。ステップ２００でプリント指示をださない場合は処理を終了する。
【００６２】
外部プリンタ１１０において画像データの編集指示をだすかどうか決定する（ステップ２０４）。操作キー１２０によって画像データの編集指示をだした場合は、デジタルカメラ１０に編集指示情報を送信する。
【００６３】
続いてプリント対象画像について外部プリンタ１１０において画素数を設定し、デジタルカメラ１０に画素数設定情報を送信する（ステップ２０８）。画素数設定情報とは、当該プリント対象画像の画素数を６Ｍ、３Ｍ、１Ｍなどに設定する情報を指す。設定した画素数の画像はデジタルカメラ１０において画像処理され、設定した画素数のデータ、当初の画素数で画像処理されたプリント対象画像と共にＬＣＤ３０に表示される（ステップ２０６）。ユーザは、ＬＣＤ３０に表示された上記設定した画素数設定値の複数の画像を見て自分の好みの画素数の画像をカーソルを移動させることにより仮選択する。
【００６４】
次に、プリント対象画像について外部プリンタ１１０において露出補正値を設定し、デジタルカメラ１０に露出補正値情報を送信する（ステップ２１０）。露出補正値情報とは、当該プリント対象画像の露出補正を＋１．０ＥＶ、−１．０ＥＶなどに設定する情報を指す。設定した露出補正の画像はデジタルカメラ１０においてゲイン調整されて画像処理され、設定した露出補正値のデータ、当初の露出補正値（０ＥＶ）で画像処理されたプリント対象画像と共に図６に示すようにＬＣＤ３０に表示される（ステップ２０６）。ユーザは、ＬＣＤ３０に表示された上記設定した露出補正値の複数の画像を見て自分の好みの露出補正値の画像をカーソルを移動させることにより仮選択する。
【００６５】
次に、プリント対象画像について外部プリンタ１１０においてプリントサイズを設定し、デジタルカメラ１０にプリントサイズ情報を送信する（ステップ２１２）。プリントサイズ情報とは、Ａ４、Ｂ５、サービス判などの情報である。設定したプリントサイズの画像はデジタルカメラ１０において画像処理され、設定したプリントサイズのデータ、当初のプリントサイズで画像処理されたプリント対象画像と共にＬＣＤ３０に表示される（ステップ２０６）。ユーザは、ＬＣＤ３０に表示された上記設定したプリントサイズの複数の画像を見て自分の好みのプリントサイズの画像をカーソルを移動させることにより仮選択する。
【００６６】
なお、図５には記載していないが、外部プリンタ１１０でホワイトバランスなどのカラーバランス値を設定し、そのカラーバランス値の情報をデジタルカメラ１０に送信して種々設定したカラーバランス値の複数の画像をＬＣＤ３０に表示させ、希望の画像を仮選択することもできる。
【００６７】
ユーザは、上記それぞれ仮選択した画像のデータでプリントすることを望む場合は、外部プリンタ１１０の操作キー１２０を操作してプリント対象画像を決定する（ステップ２１４）。プリント対象画像決定の情報は、デジタルカメラ１０に送信され、決定した画像の画像データがデータ保存される（ステップ２１６）。決定した画像は、ＬＣＤ３０に数秒間表示される（ステップ２１８）。もし、変更したい設定値があったら、外部プリンタ１１０の操作キー１２０を操作することにより、ステップ２０８、２１０、２１２に戻って設定値を設定しなおすことができる。
【００６８】
保存された画像データは出力され（ステップ２２０）、外部プリンタ１１０へ送信される。デジタルカメラ１０の処理はこれで終了する。外部プリンタ１１０では、プリントＯＫかどうか決定する（ステップ２２２）。プリントＯＫでない場合には、ステップ２００に戻る。なお、上記ステップ２０４で画像データ編集を行わない場合にはステップ２２２に移行する。ステップ２２２で操作キー１２０を操作することによりプリントＯＫにする場合は、外部プリンタ１１０のＣＰＵ１１４が印画、メカ駆動手段１２２を駆動させてプリントを行う（ステップ２２４）。プリントを行うと外部プリンタ１１０の処理は終了する。
【００６９】
本形態によれば、デジタルカメラ１０と外部プリンタ１１０とをＵＳＢなどでダイレクト接続させた場合に、小型化の要求が少なく、設計自由度の高い外部プリンタ１１０側に画像処理、画像編集などの機能指示の主導権を持たせることができるので、デジタルカメラ１０側の処理負荷を軽減することができる。したがって、操作系が複雑化する傾向があるデジタルカメラ１０の操作の簡易化が達成でき、高機能制御を外部プリンタ１１０が担保できるためプリント速度の高速化及びプリントの高画質化が図れる。
【００７０】
【発明の効果】
本発明によれば、小型化の要求が少なく、自由度の高いプリンタ側に画像処理、編集などの機能指示の主導権を持たせることができ、デジタルカメラ側の処理負荷を軽減することができるので、操作系が複雑化する傾向があるデジタルカメラの操作の簡易化が達成でき、高機能制御をプリンタが担保できるのでプリント速度の高速化及びプリントの高画質化が図れる。
【図面の簡単な説明】
【図１】デジタルカメラとプリンタとをダイレクト接続した状態を示す図。
【図２】デジタルカメラの外観を示す図で、デジタルカメラの正面図、背面図、上面図、左側面図を示した図。
【図３】デジタルカメラ及びプリンタの電気系の構成を示すブロック図。
【図４】外部プリンタの構成を示したブロック図。
【図５】プリントするまでのデジタルカメラと外部プリンタとのやりとりを示すフローチャート。
【図６】デジタルカメラのＬＣＤにプリント対象画像と露出補正した画像とを同時に表示した例を示す図。
【符号の説明】
１０…デジタルカメラ、２２…画像信号処理回路、３０…液晶ディスプレイ（ＬＣＤ）、３２…ＣＰＵ、３８…第１メモリ、６４…十字カーソルボタン、７２…レセプタクル、８０…プリント出力編集部、８２…プリンタインターフェース、１１０…外部プリンタ、１１２…ＵＳＢインターフェース、１１４…ＣＰＵ、１１６…ＲＯＭ、１１８…ＲＡＭ、１２０…操作キー
【図１】
2005039406.tif 000003
【図２】
2005039406.tif 000004
【図３】
2005039406.tif 000005
【図４】
2005039406.tif 000006
【図５】
2005039406.tif 000007
【図６】
2005039406.tif 000008